(57)【特許請求の範囲】
【請求項１】
キッチンシンクに対し取り付けられ、収納かご本体の上方、かつ、後方に係合部材を介して上段収納かごを取り付けてなる収納かごであって、
前記収納かご本体は上方および下方の周縁を枠部材で囲われて形成されており、
前記係合部材は、前記上段収納かごの下部から下方に延設された複数本の足部と該足部にそれぞれ外嵌されて前記収納かご本体の上方および下方の周縁に係止可能な接続部材から構成され、
前記接続部材は、前記収納かご本体の上方の周縁に係止される上方係止部と、前記収納かご本体の下方の周縁に係止されるに下方係止部とを備え、
前記上方係止部は、前記収納かご本体の上方の枠部材に対して着脱自在に嵌合する嵌合部を有し、
前記下方係止部は、前記収納かご本体の下方の枠部材に対して着脱自在に嵌合する嵌合部を有することを特徴とする上段収納かごを有する収納かご。
【請求項２】
前記上方係止部の嵌合部には、上方の枠部材が嵌合する際に通過する間隙が設けられ、該間隙は上方の枠部材の径と同等か広く、
前記下方係止部の嵌合部には、下方の枠部材が嵌合する際に通過する間隙が設けられ、該間隙は下方の枠部材の径より狭いことを特徴とする請求項１に記載の上段収納かごを有する収納かご。
【請求項３】
前記上方係止部の嵌合部には、上方の枠部材が嵌合する際に通過する間隙が設けられ、該間隙は上方の枠部材の径より狭く、
前記下方係止部の嵌合部には、下方の枠部材が嵌合する際に通過する間隙が設けられ、該間隙は下方の枠部材の径と同等か広いことを特徴とする請求項１に記載の上段収納かごを有する収納かご。
【請求項４】
前記収納かご本体は、前記キッチンシンク内に配置され、
前記接続部材の上方係止部および下方係止部は、前記収納かご本体の上方または下方の枠部材に対し、前記収納かご本体の内側より着脱可能に形成されていることを特徴とする請求項１ないし３のいずれかに記載の上段収納かごを有する収納かご。
【請求項５】
前記係合部材の足部は、前記上段収納かごの下部から前方に延出された水平部、該水平部から斜め後方に延出された傾斜部、および、該傾斜部から垂直下方に延出された垂直部を有し、
前記垂直部は前記接続部材に着脱自在に嵌合するように形成されていることを特徴とする請求項１ないし４のいずれかに記載の上段収納かごを有する収納かご。
【発明の詳細な説明】
【技術分野】
【０００１】
本発明は、キッチンシンクに対し取り付けられ、収納かご本体の上方に上段収納かごを有する収納かごに関する。
【背景技術】
【０００２】
従来の上段収納かごを有する収納かごには、キッチンシンクの周辺部表面に設けた係止凸部（係合部）に係止される載置部（収納かご）の上部にまな板収納部（上段収納かご）を固着させたものがある（例えば、特許文献１参照）。また、キッチンシンクの縁部分上面に設けた係合ピン（係合部）に対し係合して、キッチンシンク内側に水切り収納体（収納かご）が配置され、この収納体とキッチンシンクの縁部分上面とにより補助収納体（上段収納かご）が挟持されることで、シンクの上方に補助収納体が配置されるものがある（例えば、特許文献２参照）。
【先行技術文献】
【特許文献】
【０００３】
【特許文献１】特開２００３−３５４３号公報
【特許文献２】特開２００４−６５５５６号公報
【発明の概要】
【発明が解決しようとする課題】
【０００４】
しかしながら、特許文献１にあっては、下段の載置部と、上段のまな板収納部とが固着されているため、まな板収納部を利用しない場合のキッチンシンク使用時の邪魔になる虞がある。また、特許文献２にあっては、上段の補助収納体の取り外しは可能になったものの、補助部材の取り外しの際には、一旦下段の水切り収納体をキッチンシンクより取り外す必要があり、使用状況に合わせる作業が煩雑である問題が残る。
【０００５】
本発明は、このような問題点に着目してなされたもので、上段と下段に収納部を設けながら、上段の収納部が下段の収納部に対し簡便に着脱可能となっている上段収納かごを有する収納かごを提供することを目的とする。
【課題を解決するための手段】
【０００６】
前記課題を解決するために、本発明の上段収納かごを有する収納かごは、
キッチンシンクに対し取り付けられ、収納かご本体の上方、かつ、後方に係合部材を介して上段収納かごを取り付けてなる収納かごであって、
前記収納かご本体は上方および下方の周縁を枠部材で囲われて形成されており、
前記係合部材は、前記上段収納かごの下部から下方に延設された複数本の足部と該足部にそれぞれ着脱自在に外嵌されて前記収納かご本体の上方および下方の周縁に係止可能な接続部材から構成され、
前記接続部材は、前記収納かご本体の上方の周縁に係止される上方係止部と、前記収納かご本体の下方の周縁に係止されるに下方係止部とを備え、
前記上方係止部は、前記収納かご本体の上方の枠部材に対して着脱自在に嵌合する嵌合部を有し、
前記下方係止部は、前記収納かご本体の下方の枠部材に対して着脱自在に嵌合する嵌合部を有することを特徴としている。
この特徴によれば、収納かご本体と接続部材が着脱自在、かつ接続部材と上段収納かごが着脱自在となっているため、これらどちらの取り外しを行なっても上段収納かごが収納かご本体より取り外し可能であるため、上段収納かごの不使用時における上段収納かごの取り外しが容易である。
【０００７】
本発明の上段収納かごを有する収納かごは、
前記上方係止部の嵌合部には、上方の枠部材が嵌合する際に通過する間隙が設けられ、該間隙は上方の枠部材の径と同等か広く、
前記下方係止部の嵌合部には、下方の枠部材が嵌合する際に通過する間隙が設けられ、該間隙は下方の枠部材の径より狭いことを特徴としている。
この特徴によれば、接続部材における下方係止部が収納かご本体の下方の枠部材の下部に一部回り込むように嵌合して、収納かご本体より接続部材が上方に離脱するのを抑制するとともに、上方係止部が上方の枠部材に引っ掛けられる程度に嵌合されることにより接続部材の前後方向への移動を規制することができるため、収納かご本体に対し接続部材を簡単に着脱自在に取り付けることができる。
【０００８】
本発明の上段収納かごを有する収納かごは、
前記上方係止部の嵌合部には、上方の枠部材が嵌合する際に通過する間隙が設けられ、該間隙は上方の枠部材の径より狭く、
前記下方係止部の嵌合部には、下方の枠部材が嵌合する際に通過する間隙が設けられ、該間隙は下方の枠部材の径と同等か広いことを特徴としている。
この特徴によれば、接続部材における上方係止部が収納かご本体の上方の枠部材の下部に一部回り込むように嵌合して、収納かご本体より接続部材が上方に離脱するのを抑制するとともに、下方係止部が下方の枠部材に引っ掛けられる程度に嵌合されることにより接続部材の前後方向への移動を規制することができるため、収納かご本体に対し接続部材を簡単に着脱自在に取り付けることができる。
【０００９】
本発明の上段収納かごを有する収納かごは、
前記収納かご本体は、前記キッチンシンク内に配置され、
前記接続部材の上方係止部および下方係止部は、前記収納かご本体の上方または下方の枠部材に対し、前記収納かご本体の内側より着脱可能に形成されていることを特徴としている。
この特徴によれば、収納かご本体をキッチンシンク内に配置したまま、接続部材および上段収納かごが収納かご本体の内側より着脱可能である。
【００１０】
本発明の上段収納かごを有する収納かごは、
前記係合部材の足部は、前記上段収納かごの下部から前方に延出された水平部、該水平部から斜め後方に延出された傾斜部、および、該傾斜部から垂直下方に延出された垂直部を有し、
前記垂直部は前記接続部材に着脱自在に嵌合するように形成されていることを特徴としている。
この特徴によれば、足部の形状により、上段収納かごと、収納かご本体の上方枠部材および下方枠部材との距離を短くすることができるため、この距離と上段収納かごよりかかる重量とにより生じるモーメントを小さくすることができ、収納かごの前後のバランスが崩れるのを抑制することができる。また、接続部材は上段収納かごと外嵌するのみの簡便な着脱構造であるため、接続部材を収納かご本体に取り付けたままで、上段収納かごのみ接続部材より取り外すなど、上段収納かごの使用頻度に合わせて適宜組み合わせを変えることが可能である。
【図面の簡単な説明】
【００１１】
【図１】実施例１における上段収納かごを有する収納かごの使用例を示す斜視図である。
【図２】実施例１における上段収納かごを有する収納かごの全体構成を示す分解斜視図である。
【図３】実施例１における収納かご本体に上段収納かごを取り付けた状態を示す斜視図である。
【図４】実施例１における係合部材を示す側面図である。
【図５】実施例１における収納かご本体に接続部材および上段収納かごを取り付けた状態を示す側断面図である。
【図６】実施例２における上段収納かごを有する収納かごの要部を示す側断面図である。
【発明を実施するための形態】
【００１２】
本発明に係る上段収納かごを有する収納かごを実施するための形態を実施例に基づいて以下に説明する。
【実施例１】
【００１３】
実施例１に係る上段収納かごを有する収納かごにつき、図１から図５を参照して説明する。以下、図５における紙面左側を収納かごの正面側（前方側）とし、紙面右側を収納かごの背面側（後方側）として説明する。
【００１４】
図１の符号１は、本発明の適用された上段収納かごを有する収納かごであり、収納かご本体２の上方に後述する係合部材を介して上段収納かご３を取り付けて構成されている。
【００１５】
キッチンシンク５は平面視で横長の略四角形状をなし、その中央部の後側の壁部５ａには、後方に凹設された容器配置部６が形成される。
【００１６】
そして、この容器配置部６に、洗剤容器やスポンジ等を収納する金属フレーム製の籠状をなす本発明における収納かご１の本体部分２が配置されるとともに、容器配置部６の壁部の幅方向両側に設けられた突起部材９，９（片側図示略）に対し、収納かご１の背面側に設けられた支持部２３ａ，２３ａ（片側図示略）が係止されて支持されるようになっている（図１および３参照）。
【００１７】
本発明における収納かご１について、まず収納かご本体２を図２を用いて説明する。
【００１８】
収納かご本体２は、水はけの良い構造となっており、金属製の丸棒２１で主に構成されている。なお、構造はこれに限定されることはなく、例えば、網状体やパンチングメタルなどで構成されていてもよい。また、収納かご１はキッチン廻りの目的に応じて適宜構成されるようになっており、本実施例においてはスポンジや洗剤ボトル等の小物などを収納可能になっている。
【００１９】
また、図２に示すように、収納かご本体２は、金属丸棒を上向きコ字状に折り曲げて形成された金属製の丸棒２１が複数本平行に並べられて収納かご本体２の底部および側部が形成され、金属製の丸棒２１の両端部２１ａが金属製の板を湾曲して形成された上方枠部材２２の内側面２２ａに半田などで固着され、さらに、下方枠部材２３が上方枠部材２２と平行に、かつ互いに所定距離離間して収納かご本体２の側部に固着されて形成されている。
【００２０】
また、下方枠部材２３は金属製の丸棒を湾曲して形成されているとともに、一部が上方に向けて湾曲されて前述した支持部２３ａ，２３ａが幅方向両側にそれぞれ形成されており、これらの支持部２３ａ，２３ａがキッチンシンク２における突起部材９，９にそれぞれ係合されて、収納かご本体２がキッチンシンクに対し取り付けられるようになっている。
【００２１】
続いて上段収納かご３について図２を用いて説明する。なお、本実施例において上段収納かご３は主にまな板を立てる用途で使用されるようになっているが、雑巾をかけたり、杓文字などを載置することもでき、使用用途は多岐に渡る。
【００２２】
上段収納かご３は、金属製の丸棒を略矩形状に折り曲げて形成された柵部材３１，３１を前後に平行に配置し、これら柵部材３１，３１の底辺に直行する足部３２，３２が、それぞれ所定距離離間して固着されることで形成されている。なお足部３２，３２は、前後の柵部材３１，３１を連結するとともに、まな板を載置可能な底部を担うようになっている。
【００２３】
また、足部３２，３２は、上段収納かご３の下部から前方に延出された水平部３２ａ、水平部から斜め後方に延出された傾斜部３２ｂ、および傾斜部３２ｂから垂直下方に延出された垂直部３２ｃにより構成されている（図４参照）。
【００２４】
図３に示すように、収納かご１は垂直部３２ｃ，３２ｃに対し接続部材４，４がそれぞれ外嵌し、さらに接続部材４，４は、後述する上方係止部４１および下方係止部４２により収納かご本体２に取り付けられて構成されるようになっている。なお、足部３２，３２が上述したような形状のため、上段収納かご３が収納かご本体２上方に一部かかるように配置されるようになっている（図５参照）。
【００２５】
続いて係合部材について図２、４および図５を用いて説明する。なお、本発明における係合部材は、図２に示す接続部材４，４と上述した足部の垂直部３２ｃ，３２ｃとにより構成されている。
【００２６】
接続部材４は弾性変形可能な樹脂等により略角棒状に形成されており、図２および図４に示すように、接続部材の本体部分４ａは、長手方向に向かって嵌合穴４ｂが穿設されており、前述した上段収納かご３の足部の垂直部３２ｃが嵌合するようになっている。
【００２７】
また、図４に示すように、接続部材の背面４ｃ上方には収納かご本体２の上方枠部材２２に嵌合される嵌合部４１ａを有する上方係止部４１が設けられ、背面４ｃ下方には収納かご本体２の下方枠部材２３に嵌合される嵌合部４２ａを有する下方係止部４２が設けられている。
【００２８】
また、図５に示すように、接続部材４は収納かご本体２の内側に配置されて取り付けられるようになっており、上方係止部４１における嵌合部４１ａには、収納かご本体２の上方枠部材２２が嵌合する際に通過する間隙Ａが設けられ、間隙Ａは上方枠部材２２の径αと同等か広く形成されている。
【００２９】
また、下方係止部４２における嵌合部４２ａには、収納かご本体２の下方枠部材２３が嵌合する際に通過する間隙Ｂが設けられ、間隙Ｂは下方枠部材２３の径βより狭く形成されている。
【００３０】
図５に示すように、上述した足部の形状により、上段収納かご３の前後方向における中心部と、収納かご本体２の上方枠部材２２および下方枠部材２３の中心と、の距離Ｌが短くなっているため、この距離Lと上段収納かご３よりかかる重量Ｇとにより生じるモーメントＭ（Ｍ＝ＧＬ）を小さくすることができ、収納かご１の前後のバランスが崩れるのを抑制することが可能である。
【００３１】
また、上述したモーメントＭにより、上段収納かご３および接続部材４が後方に倒れこむが、接続部材の本体部分４ａは収納かご本体２の内側に配置されて取り付けられるようになっているため、接続部材の背面４ｃが収納かご本体２の上方枠部材内側面２２ａにより支えられ、支持されるようになっている。
【実施例２】
【００３２】
次に、実施例２に係る収納かごにつき、図６を参照して説明する。尚、前記実施例と同一構成で重複する構成を省略する。
【００３３】
図６に示すように、収納かご本体２は、金属丸棒を上向きコ字状に折り曲げて形成された金属製の丸棒２１が複数本平行に並べられて収納かご本体２の底部および側部が形成され、金属製の丸棒２１の両端部２１ａが上方枠部材２２0の内側面２２0ａに半田などで固着され、さらに、下方枠部材２３0が上方枠部材２２0と平行に、かつ互いに所定距離離間して収納かご本体２の側部に固着されて形成されている。
【００３４】
なお、本実施例においては、上方枠部材２２0が金属丸棒を湾曲して形成され、下方枠部材２３0は金属製の板を湾曲して形成されている。
【００３５】
そして、接続部材の背面４ｃ上方には収納かご本体２の上方枠部材２２に嵌合される嵌合部４１0ａを有する上方係止部４１が設けられ、背面４ｃ下方には収納かご本体２の下方枠部材２３0に嵌合される嵌合部４２0ａを有する下方係止部４２が設けられている。
【００３６】
図６に示すように、上方係止部４１における嵌合部４１０ａには、収納かご本体２の上方枠部材２２０が嵌合する際に通過する間隙Ａ２が設けられ、間隙Ａ２は上方枠部材２２０の径α２より狭く形成され、下方係止部４２における嵌合部４２０ａには、収納かご本体２の下方枠部材２３０が嵌合する際に通過する間隙Ｂ２が設けられ、間隙Ｂ２は下方枠部材２３０の径β２と同等か広く形成されている。
【００３７】
以上説明したように、本発明の収納かご１は、キッチンシンクに対し取り付けられ、収納かご本体２の上方、かつ、後方に係合部材を介して上段収納かご３を取り付けてなる収納かごであって、収納かご本体２は上方および下方の周縁を枠部材で囲われて形成されており、係合部材は、上段収納かご３の下部から下方に延設された複数本の足部３２と該足部３２にそれぞれ着脱自在に外嵌されて収納かご本体２の上方および下方の周縁に係止可能な接続部材４から構成され、接続部材４は、収納かご本体２の上方の周縁に係止される上方係止部４１と、収納かご本体２の下方の周縁に係止されるに下方係止部４２とを備え、上方係止部４１は、収納かご本体の上方の枠部材に対して着脱自在に嵌合する嵌合部を有し、下方係止部４２は、収納かご本体の下方の枠部材に対して着脱自在に嵌合する嵌合部を有している。これによれば、収納かご本体２と接続部材４が着脱自在、かつ接続部材４と上段収納３かごが着脱自在となっているため、これらどちらの取り外しを行なっても上段収納かご３が収納かご本体２より取り外し可能であるため、上段収納かご３の不使用時における上段収納かご３の取り外しが容易である。
【００３８】
また、実施例１における本発明の収納かご１については、上方係止部４１の嵌合部４１ａには、上方の枠部材２２が嵌合する際に通過する間隙Ａが設けられ、該間隙Ａは上方の枠部材２２の径αと同等か広く、下方係止部４２の嵌合部４２ａには、下方の枠部材２３が嵌合する際に通過する間隙Ｂが設けられ、間隙Ｂは下方の枠部材２３の径βより狭くなっている。これによれば、接続部材における下方係止部４２が収納かご本体の下方の枠部材２３の下部に一部回り込むように嵌合して、収納かご本体２より接続部材４が上方に離脱するのを抑制するとともに、上方係止部４１が上方の枠部材２２に引っ掛けられる程度に嵌合されることにより接続部材４の前後方向への移動を規制することができるため、収納かご本体２に対し接続部材４を簡単に着脱自在に取り付けることができる。
【００３９】
また、実施例２における本発明の収納かご１については、上方係止部４１の嵌合部４１０ａには、上方の枠部材２２０が嵌合する際に通過する間隙Ａ２が設けられ、該間隙Ａ２は上方の枠部材２２０の径α２より狭く、下方係止部４２の嵌合部４２０ａには、下方の枠部材２３０が嵌合する際に通過する間隙Ｂ２が設けられ、間隙Ｂ２は下方の枠部材２３０の径β２と同等か広くなっている。これによれば、接続部材４における上方係止部４１が収納かご本体２の上方の枠部材２２０の下部に一部回り込むように嵌合して、収納かご本体２より接続部材４が上方に離脱するのを抑制するとともに、下方係止部４２が下方の枠部材２３０に引っ掛けられる程度に嵌合されることにより接続部材４の前後方向への移動を規制することができるため、収納かご本体２に対し接続部材４を簡単に着脱自在に取り付けることができる。
【００４０】
また、収納かご本体２は、キッチンシンク５内に配置され、接続部材４，４の上方係止部４１および下方係止部４２は、収納かご本体２の上方の枠部材２２または下方の枠部材２３に対し、収納かご本体２の内側より着脱可能に形成されているので、収納かご本体２をキッチンシンク５内に配置したまま、接続部材４，４および上段収納かご３が収納かご本体２の内側より着脱可能である。
【００４１】
また、係合部材の足部３２は、上段収納かご３の下部から前方に延出された水平部３２a、該水平部３２aから斜め後方に延出された傾斜部３２ｂ、および、該傾斜部３２ｂから垂直下方に延出された垂直部３２ｃを有し、垂直部３２ｃは接続部材４，４に着脱自在に嵌合するように形成されている。このため、上段収納かご３と、収納かご本体２の上方枠部材２２および下方枠部材２３との距離Ｌを短くすることができるため、この距離Ｌと上段収納かご３よりかかる重量Ｇとにより生じるモーメントＭを小さくすることができ、収納かご１の前後のバランスが崩れるのを抑制することができる。また、接続部材４，４は上段収納かご３と外嵌するのみの簡便な着脱構造であるため、接続部材４，４を収納かご本体２に取り付けたままで、上段収納かご３のみ接続部材４，４より取り外すなど、上段収納かご３の使用頻度に合わせて適宜組み合わせを変えることが可能である。
【００４２】
また、接続部材４は樹脂製であるため、金属製のキッチンシンク５と当接した際も、金属同士の衝突による不快な金属音が生じないという利点がある。
【００４３】
また、上方係止部４１および下方係止部４２が、接続部材４の背面側に形成されており、さらに嵌合部の開口が、それぞれ下方を向いているため、接続部材４は上段収納かご３に対し上下方向に嵌合および離脱させるだけで、簡便な着脱が可能である。
【００４４】
以上、本発明の実施例を図面により説明してきたが、具体的な構成はこれら実施例に限られるものではなく、本発明の要旨を逸脱しない範囲における変更や追加があっても本発明に含まれる。
【００４５】
例えば、接続部材４，４の嵌合穴４ｂは、上段収納かご３の足部の垂直部３２ｃの直径と同寸より若干小さく穿設されていてもよく、この場合、樹脂製の接続部材４，４の嵌合穴４ｂが弾性変形し、足部の垂直部３２ｃの直径に合わせて拡張されるようにして外嵌するようになり、両者の嵌合力を高めることができる。
【符号の説明】
【００４６】
１                収納かご
２                収納かご本体
３                上段収納かご
４                接続部材（係合部材）
４ｂ              嵌合穴
５                キッチンシンク
２１              金属製の丸棒
２２              上方枠部材
２３              下方枠部材
３２              足部（係合部材）
４１              上方係止部
４１ａ            嵌合部
４２              下方係止部
４２ａ            嵌合部
【図１】
0005804965.tif 000002
【図２】
0005804965.tif 000003
【図３】
0005804965.tif 000004
【図４】
0005804965.tif 000005
【図５】
0005804965.tif 000006
【図６】
0005804965.tif 000007